(57)【要約】【課題】養液が停滞して発生する植物の病気を極減する。設備コストを著しく低減する。【解決手段】養液栽培用の栽培装置は、露地７Ａや載せ台７Ｂ等の水平栽培台７の上に水平に張設される下地フィルム２と、この下地フィルム２の上に積層している培地プレート１と、この培地プレート１の上に積層されて、水を透過させるが植物の根が通過するのを防止する根切りシート３と、この根切りシート３の上に所定の厚さに積層される培地４とを備え、植物を植え付けている培地４に水を供給して植物を生育させる。培地プレート１は、上面に突出する多数の凸部１１を有すると共に、各々の凸部１１は上端を同一面に配置して、根切りシート３を水平に配置できる形状としている。さらに、培地プレート１は、凸部１１の間に排水溝１０を形成して、この排水溝１０でもって、培地４と根切りシート３を透過する廃水を外周に向かって流して培地プレート１から排水している。【選択図】図４
2006230317.tif 000002
【特許請求の範囲】
【請求項１】
露地(7A)や載せ台(7B)等の水平栽培台(7)の上に水平に張設される下地フィルム(2)と、この下地フィルム(2)の上に積層している培地プレート(1)と、この培地プレート(1)の上に積層されて、水を透過させるが植物の根が通過するのを防止する根切りシート(3)と、この根切りシート(3)の上に所定の厚さに積層される培地(4)とを備え、植物を植え付けている培地(4)に水を供給して植物を生育させる養液栽培用の栽培装置であって、
培地プレート(1)は、上面に突出する多数の凸部(11)を有すると共に、各々の凸部(11)は上端を同一面に配置して、根切りシート(3)を水平に配置できる形状としており、
さらに、凸部(11)の間には排水溝(10)を形成して、この排水溝(10)でもって、培地(4)と根切りシート(3)を透過する廃水を外周に向かって流して培地プレート(1)から排水するようにしてなる養液栽培用の栽培装置。
【請求項２】
培地プレート(1)が、平面プレート(12)から多数の凸部(11)が突出する形状に成形すると共に、凸部(11)の上端を同一平面に位置させ、さらに、凸部(11)の形状を、多角柱状、円柱状、楕円柱状のいずれかの形状としている請求項１に記載される養液栽培用の栽培装置。
【請求項３】
根切りシート(3)と培地プレート(1)との間に保水シート(5)を積層し、培地(4)と根切りシート(3)を透過する水を保水シート(5)に保水させる請求項１に記載される養液栽培用の栽培装置。
【請求項４】
下地フィルム(2)がプラスチックフィルムからなる非透水シートで、培地プレート(1)の外側で折り返されて廃液回収路(6)としており、この廃液回収路(6)に排水溝(10)の廃水を流入させるようにしてなる請求項１に記載される養液栽培用の栽培装置。
【請求項５】
培地プレート(1)を複数の区画プレート(1A)に分割しており、隣接して配置される区画プレート(1A)を嵌着構造で連結するようにしてなる請求項１に記載される養液栽培用の栽培装置。
【発明の詳細な説明】
【技術分野】
【０００１】
本発明は、植物を植え付けしている培地に養液を供給して植物を生育させる養液栽培用の栽培装置に関し、特にミョウガの栽培に最適な養液栽培用の栽培装置にする。
【背景技術】
【０００２】
ミョウガを養液栽培する装置は開発されている。（特許文献１参照）
この公報に記載される栽培装置を図１に示す。この装置は、養液３０を充填しているトレイ３１に所定の厚さのロックウール３２を敷き、ロックウール３２の上に根切りシート３３を積層して、根切りシート３３の上に培地３４を積層する。トレイ３１の養液３０は、ロックウール３２の下部を浸漬して、根切りシート３３を浸漬しないレベルにコントロールされる。
【０００３】
この公報に記載される栽培装置は、生育させるミョウガ等の植物が病気になりやすく、また設備コストが非常に高価となる欠点がある。植物が病気になりやすいのは、トレイに養液を貯溜するので、これが汚れたり腐敗するからである。また、栽培装置が高価になるのは、養液を貯溜するためにトレイを水漏れしない構造とし、さらに、トレイには厚いロックウールを敷設し、さらに、このロックウールの下部のみを養液に浸漬するように、養液レベルを正確にコントロールするからである。
【０００４】
植物の培地から速やかに養液を排水する栽培装置は開発されている。（特許文献２参照）
この公報に記載される栽培装置は、培地の底部に水分気化排出材を敷設している。水分気化排出材は、トレイの底に設けた貫通孔から外部に引き出されている。この水分気化排出材は不織布で、培地の水分を吸い取って外部に移行させる。水分気化排出材で外部に移行された水分は、気化して消失される。この栽培装置は、水分気化排出材で培地の水分を外部に排出する。
【０００５】
この構造の栽培装置は、水分気化排出材で培地の水分を外部に移行させるが、培地底部の水分率は高くなって、この部分を水分率の低い状態にはできない。それは、培地の水分率が低くなるにしたがって、培地の水分が水分気化排出材に移行し難くなるからである。したがってこの培地では、種々の植物を病気から保護して元気に生育させるのが難しい欠点がある。
【特許文献１】特開平１１−３１８２４４号公報
【特許文献２】特開平１１−３１３５６５号公報
【発明の開示】
【発明が解決しようとする課題】
【０００６】
本発明は、従来の栽培装置が有する以上の欠点を解決することを目的に開発されたものである。本発明の重要な目的は、養液が停滞して発生する植物の病気を極減することに加えて、設備コストを著しく低減できる養液栽培用の栽培装置を提供することにある。
【課題を解決するための手段】
【０００７】
本発明の養液栽培用の栽培装置は、前述の目的を達成するために以下の構成を備える。
養液栽培用の栽培装置は、露地７Ａや載せ台７Ｂ等の水平栽培台７の上に水平に張設される下地フィルム２と、この下地フィルム２の上に積層している培地プレート１と、この培地プレート１の上に積層されて、水を透過させるが植物の根が通過するのを防止する根切りシート３と、この根切りシート３の上に所定の厚さに積層される培地４とを備え、植物を植え付けている培地４に水を供給して植物を生育させる。培地プレート１は、上面に突出する多数の凸部１１を有すると共に、各々の凸部１１は上端を同一面に配置して、根切りシート３を水平に配置できる形状としている。さらに、培地プレート１は、凸部１１の間に排水溝１０を形成して、この排水溝１０でもって、培地４と根切りシート３を透過する廃水を外周に向かって流して培地プレート１から排水している。
【０００８】
本発明の請求項２の養液栽培用の栽培装置は、培地プレート１を、平面プレート１２から多数の凸部１１が突出する形状に成形している。さらに、培地プレート１は、凸部１１の上端を同一平面に位置させており、凸部１１の形状を、多角柱状、円柱状、楕円柱状のいずれかの形状としている。
【０００９】
本発明の請求項３の養液栽培用の栽培装置は、根切りシート３と培地プレート１との間に保水シート５を積層して、培地４と根切りシート３を透過する水を保水シート５に保水させている。
【００１０】
本発明の請求項４の養液栽培用の栽培装置は、下地フィルム２をプラスチックフィルムからなる非透水シートとしている。この栽培装置は、下地フィルム２を培地プレート１の外側で折り返して廃液回収路６としており、この廃液回収路６に排水溝１０の廃水を流入させている。
【００１１】
本発明の請求項５の養液栽培用の栽培装置は、培地プレート１を複数の区画プレート１Ａに分割しており、隣接して配置される区画プレート１Ａを嵌着構造で連結するようにしている。
【発明の効果】
【００１２】
本発明の養液栽培用の栽培装置は、養液が停滞して発生する植物の病気を極減できる特長がある。それは、本発明の栽培装置が、水平栽培台の上に水平に張設される下地フィルムの上に培地プレートを積層し、この培地プレートの上に根切りシートと培地とを積層して、培地に水を供給して植物を生育する構造としており、この培地プレートの上面に多数の凸部を突出して設けると共に、凸部の間に形成した排水溝で、培地と根切りシートを透過する廃水を外周に向かって流して排水しているからである。この構造の栽培装置は、培地と根切りシートを透過した養液を、従来の栽培装置のように貯溜することなく、速やかに流して培地プレートから排水するので、停滞する養液に起因する植物の病気を極減できる。しかも、この構造の栽培装置は、従来のように水漏れしない構造を必要とせず、また貯溜された養液レベルをコントロールするための機構を必要としないので、設備コストを著しく低減できる特長もある。
【００１３】
さらに、本発明の請求項３の養液栽培用の栽培装置は、根切りシートと培地プレートとの間に積層した保水シートで、培地と根切りシートを透過する水を保水するので、培地が乾燥するときに、保水シートから培地に水分を供給して、培地の過乾燥を防止しながら植物を生育できる特長がある。
【００１４】
さらに、本発明の請求項４の養液栽培用の栽培装置は、下地フィルムをプラスチックフィルムからなる非透水シートとすると共に、この下地フィルムを培地プレートの外側で折り返して廃液回収路としているので、この廃液回収路に排水溝の廃水を流入させて回収できる特長がある。
【００１５】
さらにまた、本発明の請求項５の養液栽培用の栽培装置は、培地プレートを複数の区画プレートに分割して、隣接して配置される区画プレートを嵌着構造で連結しているので、所定の大きさの区画プレートを、簡単に連結して細長い培地プレートを実現できる。
【発明を実施するための最良の形態】
【００１６】
以下、本発明の実施例を図面に基づいて説明する。ただし、以下に示す実施例は、本発明の技術思想を具体化するための養液栽培用の栽培装置を例示するものであって、本発明は栽培装置を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図２ないし図５に示す養液栽培用の栽培装置は、水平栽培台７の上に水平に張設される下地フィルム２と、この下地フィルム２の上に積層している培地プレート１と、この培地プレート１の上に積層されて、水を透過させるが植物の根が通過するのを防止する根切りシート３と、この根切りシート３の上に所定の厚さに積層される培地４とを備える。さらに、図３ないし図５に示す栽培装置は、根切りシート３と培地プレート１との間に保水シート５を積層している。これらの栽培装置は、植物を植え付けている培地４に給水器８で養液２０を供給して植物を生育させる。
【００１９】
図２ないし図４の栽培装置は、露地７Ａである水平栽培台７の上に下地フィルム２を敷設している。図５の栽培装置は、培地収納容器９の上に下地フィルム２を敷設している。これ等の図に示す栽培装置は、露地７Ａの水平栽培台７に、あるいは露地７Ａから上に離して配置している載せ台７Ｂの水平栽培台７に載せて、水平栽培台７の上に下地フィルム２を敷設している。
【００２０】
下地フィルム２は、培地プレート１を露地７Ａから区画する。この下地フィルム２は、プラスチックフィルムからなる非透水シートである。プラスチックフィルムである非透水シートの下地フィルム２は、ポリエチレンフィルムが適している。ただ、この下地フィルムのプラスチックフィルムには、塩化ビニルフィルムも使用できる。非透水シートであるプラスチックフィルムの下地フィルム２は、廃水がこれを透過して、露地７Ａに浸透するのを防止する。植物に供給される養液２０は、水に肥料や薬剤を添加した溶液である。したがって、培地４と根切りシート３を透過した養液の廃水が、露地７Ａに排水されるのは好ましくない。それは、廃水に含まれる成分によって露地７Ａの土壌を汚染し、あるいは、雑草や細菌等の繁殖を促進するおそれがあるからである。このように、培地プレート１の下に非透水シートの下地フィルム２を敷設する栽培装置は、廃水が露地７Ａに浸透するのを防止して、理想的な環境で植物を栽培できる特長がある。ただ、本発明の栽培装置は、非透水シートである下地フィルムをプラスチックフィルムに特定しない。非透水シートである下地フィルムには、たとえば表面を防水加工した不織布や布等も使用できるからである。不織布や布で構成される下地フィルムは、プラスチックフィルムに比べて破れ難く、また熱に強い特長がある。
【００２１】
プラスチックフィルムの下地フィルム２は、太陽光線を透過させない黒等の暗色に着色されている。このプラスチックフィルムは、露地７Ａを太陽光線から遮断して雑草の繁殖を阻止できる。また、非透水シートの下地フィルム２は、露地７Ａに水を供給しないので、このことからも露地７Ａに雑草が繁殖するのを防止できる。ただ、本発明の栽培装置は、下地フィルムを暗色のプラスチックフィルムには特定しない。下地フィルムには、たとえば透明のプラスチックフィルを使用することもできる。
【００２２】
下地フィルム２は、培地プレート１の外形よりも大きく、培地プレート１の外周に突出するように露地７Ａ等の水平栽培台７に敷設される。培地プレート１から排水される廃水を露地７Ａの外部に流すためである。
【００２３】
図３ないし図５に示す下地フィルム２は、プラスチックフィルムの非透水シートで廃液回収路６を設けている。廃液回収路６は、培地プレート１に設けた排水溝１０の廃水を流入させて回収する。廃液回収路６に回収された廃水は外部に排水され、あるいは給水器８を介して再び培地４に供給される。廃液回収路６で回収されて培地４に再び供給される廃水は、回収した廃水に必要な肥料を添加して所定の肥料濃度に調整される。ただ、廃液回収路６で回収された廃水は、肥料濃度を調整することなく、水分を補給する目的で培地４に供給することもできる。廃液回収路６で回収した廃水を再び培地４に供給する装置は、水を有効に利用して水の消費量を少なくできる。また、廃水には肥料も含有されているので、廃水を再び培地に供給する装置は、ランニングコストを低減できる特長もある。さらにまた、肥料を含む廃水を周囲に排水しない特徴もある。
【００２４】
図３の栽培装置は、露地７Ａ等の水平栽培台７を上方に突出させて、突出する水平栽培台７の上面に沿って、培地プレート１の両側に廃液回収路６を設けている。下地フィルム２は、先端縁を培地プレート１の排水溝１０よりも高い位置に固定して廃液回収路６を設けている。図に示す下地フィルム２は、その先端縁を、支柱１５に張設した線材１６に連結して廃液回収路６を設けている。下地フィルム２の先端は、たとえば、図６に示す構造で先端縁を線材１６に固定することができる。この図の連結構造は、下地フィルム２の先端部をＵ曲して折り返し、この折り返し部２Ａの内側に線材１６を位置させると共に、この折り返し部２Ａに挟着部材１７を装着して下地フィルム２を線材１６に連結している。挟着具１７は、折り返し部２Ａを弾性的に挟着する一対の挟着片１７Ａを備えており、これらの挟着片１７Ａで折り返し部２Ａを両側から挟着して、下地フィルム２を線材１６に固定している。この挟着具１７は、極めて簡単な構造として、折り返し部２Ａに脱着自在に連結できる特長がある。ただ、下地フィルムは、図に示す構造以外の種々の構造で、先端縁を培地プレートの排水溝よりも高い位置に固定することができる。
【００２５】
さらに、図４の栽培装置は、露地７Ａ等の水平栽培台７を上方に突出させて、突出する水平栽培台７の側部に沿って廃液回収路６を設けている。下地フィルム２は、図７に示すように、水平栽培台７の側部に沿って垂らし、垂らしている途中を上向きにＵ曲し、その先端側を培地プレート１の凸部１１に固定して廃液回収路６を設けている。下地フィルム２の先端側は、たとえば、図７に示す構造で培地プレート１に固定することができる。図の下地フィルム２は、廃液回収路６の先端側の一部をＵ曲し、このＵ曲部２Ｂの内側に配置した挿入ロッド１９を、培地プレート１の凸部１１に設けた連結凹部１８に圧入して互いに連結している。図に示す培地プレート１は、凸部１１の上面の側縁部に、側縁に沿って直線状の連結凹部１８を設けている。ただ、連結凹部は、凸部の側面に設けることもできる。さらに、下地フィルムは、図示しないが、培地プレートに連結することなく、根切りシートに連結することもできる。挿入ロッド１９の外径は連結凹部１８の幅とほぼ等しく、挿入ロッド１９の外周面と連結凹部１８の内面とで下地フィルム２を押圧して、所定の位置に保持できるようにしている。培地プレート１の凸部１１に連結された下地フィルム２は、さらに、その先端部を図４に示すように、培地プレート１よりも高い位置に固定している。下地フィルム２の先端は、たとえば、前述の図６に示す構造で支柱１５に固定した線材１６に連結することができる。廃液回収路６は、培地プレート１に連結されて、排水溝１０の廃水を流下させる。
【００２６】
培地プレート１は、上面に突出する多数の凸部１１を有する。各々の凸部１１は、上端を同一面に配置して、根切りシート３を水平に配置できる形状としている。図の培地プレート１は、凸部１１の上面を平面状に成形している。この培地プレート１は、上端の平面で根切りシート３を面接触状態に支持して、水平に調整できる。凸部１１は、上端の平面部の面積を大きくして、根切りシート３を水平に支持する面積を大きくできる。ただ、凸部上端の平面部を大きくすると、凸部１１の間に設ける排水溝１０が占める割合が狭くなって、根切りシート３を透過する廃水を速やかに排水できなくなる。したがって、凸部上端の平面部の面積は、根切りシート３を裏から支持してほぼ水平に配置でき、しかも排水溝１０で根切りシート３を透過する廃水をスムーズに排水できるようにする。たとえば、凸部上端の面積は、１ｃｍ２〜１００ｃｍ２、好ましくは１ｃｍ２〜３０ｃｍ２、さらに好ましくは２ｃｍ２〜１０ｃｍ２とする。
【００２７】
図８の培地プレート１は、凸部１１を四角柱状として、凸部１１の間に碁盤格子状に排水溝１０を設けている。ただし、培地プレート１の凸部１１は、四角柱、六角柱、八角柱等の多角柱状、あるいは円柱状、あるいはまた、楕円柱状とすることができる。さらに、図示しないが、培地プレートの凸部は、下方に向かって水平断面積が大きくなる形状、たとえば、角錐台や円錐台形状とすることもできる。また、培地プレートは、必ずしも凸部の間に碁盤格子状に排水溝を設けた構造とする必要はなく、図９に示すように、細長い直方体の凸部１１の間に、筋状に排水溝１０を設けた構造とすることもできる。
【００２８】
培地プレート１は、凸部１１の間に排水溝１０を形成し、この排水溝１０でもって、培地４と根切りシート３を透過する廃水を外周に向かって流して培地プレート１から排水する。また、培地プレート１の凸部１１は、排水溝１０の廃水から根切りシート３を上方に分離して、廃水に起因する病気を防止する。根切りシート３を廃水から分離するために、凸部１１の高さは１ｃｍ以上、好ましくは１．５ｃｍ以上、さらに好ましくは２ｃｍ以上とする。凸部１１を高くするほど、根切りシート３を排水溝１０の廃水から確実に分離できる。ただ、凸部を高くすると培地プレート全体が厚くなって製造コストが高くなり、また凸部の強度も低下する。このため、凸部１１の高さは、５ｃｍよりも低く、好ましくは４ｃｍ以下とする。
【００２９】
さらに、排水溝１０の幅、すなわち隣接する凸部１１の間隔は、廃水をスムーズに流すことができる幅とする。排水溝１０の幅が狭すぎると、廃水に含まれる異物が詰まりやすい。このため、排水溝１０の幅は、たとえば２ｍｍ以上、好ましくは３ｍｍ以上、さらに好ましくは５ｍｍ以上とする。ただ、排水溝は、根切りシートを支持しない部分となるので、この幅が広すぎると、根切りシートを水平な姿勢に支持できなくなる。このため、排水溝１０の幅は、たとえば２０ｍｍよりも狭く、好ましくは１５ｍｍよりも狭く、さらに好ましくは１０ｍｍよりも狭くする。排水溝１０の最適幅は、廃水の詰まりを少なく、かつ根切りシート３を水平に保持することから、最適には５ｍｍ〜１０ｍｍとする。
【００３０】
さらに、多数の凸部１１の間に形成される排水溝１０は、図９に示すように、底面を傾斜面１０Ａとして、廃水を速やかに外周に流すことができる。図に示す排水溝１０は、中央を山形とする傾斜面１０Ａを設けて、廃水を培地プレート１の両側に流す構造としている。ただ、傾斜面は一方向にのみ傾斜させることもできる。さらに、図示しないが、複数の凸部を碁盤格子状に備える培地プレートも、縦横に交差する排水溝の底面を傾斜面とすることができる。これらの排水溝は、廃水を速やかに培地プレートの外側に流すことができる形状の傾斜面とする。
【００３１】
培地プレート１は、下面の平面プレート１２から多数の凸部１１を上に突出させる形状に成形している。平面プレート１２は、たとえば２ｍｍ〜１５ｍｍの厚さの板状としている。図に示す培地プレート１は、プラスチックの発泡体で製作される。この培地プレート１は安価に多量生産できる。プラスチック発泡体からなる培地プレート１は、表面に非発泡層を設けて、廃水の内部への浸透を阻止し、あるいは独立気泡に発泡させて、廃水の内部への浸透を阻止している。ただ、培地プレートの下に非透水シートの下地フィルムを敷設する栽培装置は、下地フィルムによって廃水が露地に供給されるのを防止できるので、培地プレートを完全な防水構造とする必要はない。プラスチック発泡体の培地プレート１は、発泡スチロールで製作して、とくに安価に多量生産できる。ただ、培地プレートは、他のプラスチック発泡体、たとえば塩化ビニル発泡体、ＥＶＡ発泡体、ウレタン発泡体等で製造することもできる。
【００３２】
さらに、培地プレートは、図示しないが、熱可塑性のプラスチックシートを真空成形して凸部を設けることもできる。この培地プレートは、平面プレートの一部を上方に突出するように成形して凸部とし、凸部の間に排水溝を設ける。この培地プレートも安価に多量生産できる。
【００３３】
培地プレート１は、複数の区画プレート１Ａに分割して、隣接して配置する区画プレート１Ａを嵌着構造で連結する構造にできる。この培地プレート１は、所定の大きさの区画プレート１Ａを並べて畝のように細長く連結できる。図１０の区画プレート１Ａは、隣接縁に互いに嵌着できる突出部１３と凹部１４とを設けている。この培地プレート１は、突出部１３を凹部１４に入れて、隣接する区画プレート１Ａを定位置に連結できる。培地プレート１の下に非透水シートの下地フィルム２を敷設する栽培装置は、区画プレート１Ａを連結部から水が漏れないように、防水構造で連結する必要はない。培地プレート１の連結隙間から漏れた廃水を、下に敷設している下地フィルム２で所定の位置に集めることができるからである。
【００３４】
根切りシート３は、防根シートとも呼ばれるシートで、すでに市販されているものを使用する。根切りシート３は、細繊維を立体的に集合した不織布が使用できる。また、微細な貫通孔を無数に設けているプラスチックフィルムも根切りシート３として使用できる。さらに、根切りシート３は、水を透過させて植物の根が成長して透過するのを阻止できる全てのシートを使用することができる。根切りシート３は、培地４に植え付けしている植物の根が伸びて排水溝１０に侵入するのを阻止する。植物の根が排水溝１０に侵入すると、根が廃水に接触して病気になるからである。したがって、根切りシート３は、好ましくは、図２ないし図５に示すように、培地プレート１の上面全面に張設される。ただ、培地プレートの上面の一部に培地を載せて植物を生育させる場合、必ずしも培地プレートの全面に根切りシートを張設する必要はない。根切りシート３は、培地４と培地プレート１との間に張設されて、根が培地プレート１の排水溝１０に侵入するのを阻止する。
【００３５】
図の根切りシート３は、培地プレート１の上面に水平に張設され、培地プレート１の外周から下方に垂らして、上面に廃水が溜らないようにしている。この栽培装置は、培地４を透過する廃水を速やかに培地プレート１の外周に排水できる。
【００３６】
図３ないし図５の栽培装置は、根切りシート３と培地プレート１との間に保水シート５を配設している。この保水シート５は、培地４と根切りシート３を透過した廃水を吸水して保水する。保水シート５は、微細な繊維を無数の空隙ができるように集合した不織布、所定の厚さのロックウール、織布、耐水性のある紙等が使用できる。保水シート５に水分を保水する栽培装置は、培地４が乾燥するときに、保水する水分を根切りシート３に透過させて、培地４に供給する。保水シート５の水分は、気化して培地４に供給され、あるいは根切りシート３を透過して培地４に浸透して補給される。したがって、ここに保水シート５を配設する栽培装置は、培地４の過乾燥を防止しながら植物を生育できる特徴がある。ただ、図２に示すように、本発明の栽培装置は、必ずしも保水シートを設ける必要はない。保水シートのない栽培装置は、乾燥状態で生育できる植物の栽培に適している。また、培地４の水分率を検出して、培地４が過乾燥になると、給水器８で培地４に養液を供給して、植物を生育することもできる。
【００３７】
培地４は、供給される水分を保水する保水性と、過剰な水分を排水する排水性とが要求される。図の培地４は、所定の厚さのマット状で、根切りシート３の上に載せている。培地４は、生育させる植物に最適なものが選択され、たとえばミョウガの場合は、ヤシガラやバーク等の有機物を所定の厚さのマット状としたものが使用される。この培地４でミョウガを生育させる場合、たとえば長さを１ｍ、幅を３０ｃｍ、養液を供給する状態での厚さを約１２ｃｍとするものを使用する。ただ、培地には、植物の生育に適した保水性と排水性のある全てのもの、たとえば有機物や無機物を単独であるしは混合したものが使用しできる。無機物である培地は、たとえば、シリカやアルミナを無数の空隙がある状態に焼結した粒体やロックウール等が使用できる。
【００３８】
以上の実施例の栽培装置は、植物を植え付けている培地４に、給水器８で養液２０を供給している。給水器８は、図２ないし図５に示すように、養液２０を貯溜するタンク２１と、このタンク２１内の養液２０を吸い上げて移送するポンプ２２と、このポンプ２２から供給される養液２０を培地４に散水するノズル２３とを備える。この構造の給水器８は、ポンプ２２を連続運転して植物に定量の養液２０を連続供給し、あるいは、ポンプ２２の運転を制御部２４で制御して、所定量の養液２０を所定の時間間隔で植物に供給する。植物に供給される養液２０は、培地４と根切りシート５とを透過して、培地プレート１の排水溝１０を流下して、下地フィルム２の廃液回収路６に流入される。廃液回収路６に流入して回収される廃水は、図２に示すように外部に排水され、あるいは図３ないし図５に示すように給水器８のタンク２１に環流される。図に示す給水器８は、タンク２１に環流される廃水を、再び植物に供給する構造としているが、回収した廃水は、給水器とは別の回収用のタンクに集めることもできる。
【図面の簡単な説明】
【００３９】
【図１】従来の養液栽培装置の構成を示す縦断面図である。
【図２】本発明の一実施例にかかる養液栽培用の栽培装置の概略断面図である。
【図３】本発明の他の実施例にかかる養液栽培用の栽培装置の概略断面図である。
【図４】本発明の他の実施例にかかる養液栽培用の栽培装置の概略断面図である。
【図５】本発明の他の実施例にかかる養液栽培用の栽培装置の概略断面図である。
【図６】図３に示す栽培装置の下地フィルムの先端を固定する構造を示す拡大断面図である。
【図７】図４に示す栽培装置の下地フィルムを培地プレートに固定する構造を示す断面斜視図である。
【図８】培地プレートの一例を示す断面斜視図である。
【図９】培地プレートの他の一例を示す断面斜視図である。
【図１０】区画プレートの連結構造を示す平面図である。
【符号の説明】
【００４０】
１…培地プレート        １Ａ…区画プレート
２…下地フィルム
３…根切りシート
４…培地
５…保水シート
６…廃液回収路
７…水平栽培台          ７Ａ…露地
７Ｂ…載せ台
８…給水器
９…培地収納容器
１０…排水溝            １０Ａ…傾斜面
１１…凸部
１２…平面プレート
１３…突出部
１４…凹部
１５…支柱
１６…線材
１７…連結具            １７Ａ…挟着片
１８…連結凹部
１９…挿入ロッド
２０…養液
２１…タンク
２２…ポンプ
２３…ノズル
２４…制御部
３０…養液
３１…トレイ
３２…ロックウール
３３…根切りシート
３４…培地
【図１】
2006230317.tif 000003
【図２】
2006230317.tif 000004
【図３】
2006230317.tif 000005
【図４】
2006230317.tif 000006
【図５】
2006230317.tif 000007
【図６】
2006230317.tif 000008
【図７】
2006230317.tif 000009
【図８】
2006230317.tif 000010
【図９】
2006230317.tif 000011
【図１０】
2006230317.tif 000012